(57)【要約】【課題】モンレール蓄圧式燃料噴射装置において、きわめて簡単且つ小型コンパクト化された装置でもって、高圧ポンプの気筒毎のポンプ脈動の発生を防止するとともに、逆止弁の開閉によるサージ圧の発生を防止し、安定した圧力状態でコモンレールに高圧燃料を供給可能なコモンレール上流側圧力変動制御装置を提供する。【解決手段】コモンレール上流側圧力変動制御装置において、前記高圧ポンプの複数の気筒毎の逆止弁の燃料出口にそれぞれ接続され前記コモンレールの容積以下の容積を有するサブコモンレールと、該サブコモンレールの燃料出口と前記コモンレールとを接続する噴射管とを備え、前記噴射管の数を前記高圧ポンプの気筒毎の逆止弁の数よりも少なく構成したことを特徴とする。【選択図】図１
2010169068.tif 000002
【特許請求の範囲】
【請求項１】
複数の気筒により高圧燃料油をそれぞれの気筒で圧縮し、該気筒の燃料出口に該高圧燃料油の流通と遮断とを行う逆止弁を気筒毎に設けた高圧ポンプと、該高圧ポンプにより圧送された高圧燃料油を蓄圧するコモンレールと、該コモンレールに蓄圧された高圧燃料油をシリンダ毎の所定時期にエンジンの各シリンダ内に所定量噴射するインジェクタとを備えたコモンレール蓄圧式燃料噴射装置におけるコモンレール上流側圧力変動制御装置において、
前記高圧ポンプの複数の気筒毎の逆止弁の燃料出口にそれぞれ接続され前記コモンレールの容積以下の容積を有するサブコモンレールと、該サブコモンレールの燃料出口と前記コモンレールとを接続する噴射管とを備え、前記噴射管の数を前記高圧ポンプの気筒毎の逆止弁の数よりも少なく構成したことを特徴とするコモンレール上流側圧力変動制御装置。
【請求項２】
前記コモンレールを複数個備え、前記サブコモンレールをそれぞれのコモンレールに対して各１個設けて、前記サブコモンレールの燃料出口と前記複数個のコモンレールとを前記高圧ポンプの気筒毎の逆止弁の数よりも少なく構成した噴射管で接続したことを特徴とする請求項１に記載のコモンレール上流側圧力変動制御装置。
【請求項３】
前記高圧ポンプの気筒毎の逆止弁の各燃料出口と前記サブコモンレールとの間に、高圧燃料油の脈動低減用の圧力溜まり部を設けたことを特徴とする請求項１に記載のコモンレール上流側圧力変動制御装置。
【請求項４】
前記圧力溜まり部は、前記高圧ポンプの気筒毎の逆止弁の各燃料出口に対応して各１個設け、該圧力溜まり部をそれぞれ前記サブコモンレールに接続したことを特徴とする請求項３に記載のコモンレール上流側圧力変動制御装置。
【請求項５】
前記圧力溜まり部は、前記高圧ポンプの気筒毎の逆止弁の各燃料出口に対応して共通に１個設け、該共通の圧力溜まり部を前記サブコモンレールに接続したことを特徴とする請求項３に記載のコモンレール上流側圧力変動制御装置。
【発明の詳細な説明】
【技術分野】
【０００１】
本発明は、ディーゼルエンジンのコモンレール蓄圧式燃料噴射装置に適用され、高圧ポンプにより圧送された高圧燃料油をコモンレールに蓄圧し、該コモンレール内の高圧燃料油をシリンダ毎の所定時期に、前記コモンレールに燃料噴射管にて接続されるインジェクタからエンジンの各シリンダ内に所定量噴射するように構成されたコモンレール蓄圧式燃料噴射装置における、コモンレール上流側圧力変動制御装置に関する。
【背景技術】
【０００２】
コモンレール蓄圧式燃料噴射装置においては、図５〜図７に示すように、高圧ポンプ３により圧送された高圧燃料油をコモンレール１に蓄圧し、該コモンレール１内の高圧燃料油をエンジン運転条件によって定まるシリンダ毎の所定時期に、前記コモンレール１に燃料噴射管１２にて接続されるインジェクタ６からエンジンの各シリンダ内に所定量噴射するように構成されている。
【０００３】
図５（Ａ）においては、高圧ポンプ３の複数の気筒により燃料油をそれぞれの気筒で圧縮し、該気筒の燃料出口に該高圧燃料油の流通と遮断とを行う逆止弁１０を通してから、
複数（この場合は３個）の圧力溜まり部１６で吐出圧力のサージ圧を減少させ、高圧ポンプ３の複数の気筒数と同数の噴射管２３（この場合は３個）を通してコモンレール１に導いている。
該コモンレール１から先は、公知の構成であるので詳細説明は省略するが、コモンレール１から燃料噴射管１２で各シリンダのインジェクタ６に接続し、エンジン運転条件によって定まるシリンダ毎の所定時期に、前記インジェクタ６からエンジンの各シリンダ内に所定量噴射する。
【０００４】
また、前記逆止弁１０は、図７に示すように、前記高圧燃料油を吐出する高圧ポンプ３の複数の気筒数と同数設けられ、ばね室１０ｃ内に収納されたばね１０ｂ及び弁体１０ａにより設定された一定圧力以上で、前記高圧燃料油の上流側１０ｅへの流通を許容するとともに、該上流側１０ｅから吐出室３ｂへの高圧燃料油の戻りを阻止するように構成されている。
該逆止弁１０は、逆止弁ケース１０ｆ内に収納され、複数のボルト１０ｄで前記高圧ポンプ３のケース３ｄに固定されている。
該逆止弁１０から、吐出された高圧燃料油は前記コモンレール１に送り込まれる。
また、前記高圧ポンプ３は、前記ケース３ｄ内に往復動自在に嵌合されたプランジャ３ａのタペット３ｃを介しての往復動により、前記吐出室３ｂ内の燃料油を圧縮して前記逆止弁１０に供給する。
【０００５】
図５（Ｂ）においては、図５（Ａ）の圧力溜まり部１６を、高圧ポンプ３の複数の気筒数毎に一体化（この場合は３個）して一体型の圧力溜まり部１６ａを形成して、該圧力溜まり部１６ａの容積を増大してサージ圧の減少効果を大きくしている。
その他の構成及び逆止弁１０の構成は図５（Ａ）及び図７と同様でありこれと同一の部材は同一の符号で示す。
【０００６】
また、特許文献１（特許第３５３１８９６号公報）のものは、コモンレール５の側部に、該コモンレール５からの噴射管とは別個に、該コモンレール５と開閉弁１１を介して第２のコモンレール（サブコモンレール）１０とを連結している。
【０００７】
図６においては、図５（Ａ）と同様な構成であるが、この場合は、各圧力溜まり部１６とコモンレール１とを接続する噴射管の長さを、従来のものよりも短縮した噴射管２３ｂとして、サージ圧の減少を狙っている。
その他の構成及び逆止弁１０の構成は図５（Ａ）及び図７と同様でありこれと同一の部材は同一の符号で示す。
【先行技術文献】
【特許文献】
【０００８】
【特許文献１】特許第３５３１８９６号公報
【発明の概要】
【発明が解決しようとする課題】
【０００９】
コモンレール蓄圧式燃料噴射装置においては、複数の気筒により燃料油をそれぞれの気筒で圧縮する高圧ポンプ３から、該高圧ポンプ３の各気筒の燃料出口に該高圧燃料油の流通と遮断とを行う逆止弁１０を通した高圧燃料油を、コモンレール１内に蓄圧している。
そして、かかるコモンレール１内の高圧燃料油を、インジェクタ６からエンジン運転条件によって定まるシリンダ毎の所定時期に、エンジンの各シリンダ内に所定量噴射するように構成されている。
しかしながら、前記複数の気筒により高圧燃料油をそれぞれの気筒で圧縮し、該気筒の燃料出口に該高圧燃料油の流通と遮断とを行う逆止弁１０を気筒毎に設けた高圧ポンプ３の気筒毎のポンプ脈動を低減するとともに、逆止弁１０の開閉時に発生するサージ圧を低減することが急務となっている。特に車両や発電用エンジンの場合は、小型コンパクトでもって、ポンプ脈動やサージ圧の減少が強く要求されている。
【００１０】
このため、従来は、図５〜図７の手段が提供されているが、図５（Ａ）の場合は、高圧ポンプ３の気筒数と同数の複数（この場合は３個）の圧力溜まり部１６を設けているため、十分にポンプ脈動やサージ圧を減少させるためには、圧力溜まり部の容積を大きく取る必要があり、ポンプ構造が大型化する。
また、図５（Ｂ）の場合は、図５（Ａ）の圧力溜まり部１６を、高圧ポンプ３毎に一体化して一体型の圧力溜まり部１６ａを形成しポンプ脈動やサージ圧の減少を図っているが、この場合は、一体型の圧力溜まり部の形状は複雑且つ大きくなり、更に高圧燃料の漏れに対する設計難度が高くなり、加工精度も厳しくなる。
また、図６においては、複数の圧力溜まり部１６とコモンレール１とをそれぞれ接続する噴射管を、従来のものよりも短縮した噴射管２３ｂとして、慣性マスを小さくしてポンプ脈動やサージ圧の減少を図っているが、噴射管の長さを短くするのはシステムレイアウト上の制約がされ、噴射管の長さを短くするのが困難な場合がある。
【００１１】
以上のように、前記コモンレール１を備えた蓄圧式燃料噴射装置においては、複数の気筒により燃料油をそれぞれの気筒で圧縮し、該気筒の燃料出口に該高圧燃料油の流通と遮断とを行う逆止弁１０を気筒毎に設けた高圧ポンプ３の気筒毎のポンプ脈動や、逆止弁１０の開閉時のサージ圧の発生を、コモンレール１前において、圧力溜まり部１６あるいは１６ａで減少する場合、十分なバッファ効果を得るためには該コモンレール１前に設置する圧力溜まり部１６あるいは１６ａは大きな容積を必要とする。
【００１２】
本発明はかかる従来技術の課題に鑑み、きわめて簡単且つ小型コンパクト化された装置でもって、高圧ポンプの気筒毎のポンプ脈動の発生を防止するとともに、逆止弁の開閉によるサージ圧の発生を防止し、安定した圧力状態でコモンレールに高圧燃料を供給可能なコモンレール上流側圧力変動制御装置を提供できる。
【課題を解決するための手段】
【００１３】
本発明はかかる課題を解決するもので、複数の気筒により高圧燃料油をそれぞれの気筒で圧縮し、該気筒の燃料出口に該高圧燃料油の流通と遮断とを行う逆止弁を気筒毎に設けた高圧ポンプと、該高圧ポンプにより圧送された高圧燃料油を蓄圧するコモンレールと、該コモンレールに蓄圧された高圧燃料油をシリンダ毎の所定時期にエンジンの各シリンダ内に所定量噴射するインジェクタとを備えたコモンレール蓄圧式燃料噴射装置におけるコモンレール上流側圧力変動制御装置において、
前記高圧ポンプの複数の気筒毎の逆止弁の燃料出口にそれぞれ接続され前記コモンレールの容積以下の容積を有するサブコモンレールと、該サブコモンレールの燃料出口と前記コモンレールとを接続する噴射管とを備え、前記噴射管の数を前記高圧ポンプの気筒毎の逆止弁の数よりも少なく構成したことを特徴とする。
【００１４】
かかる発明において、好ましくは、前記コモンレールを複数個備え、前記サブコモンレールをそれぞれのコモンレール対して各１個設けて、前記サブコモンレールの燃料出口と前記複数個のコモンレールとを前記前記高圧ポンプの気筒毎の逆止弁の数よりも少なく構成した噴射管で接続する。
【００１５】
また本発明は、前記高圧ポンプの気筒毎の逆止弁の各燃料出口と前記サブコモンレールとの間に、高圧燃料油の脈動低減用の圧力溜まり部を設けたことを特徴とする。
【００１６】
かかる発明において、好ましくは、前記圧力溜まり部は、前記高圧ポンプの気筒毎の逆止弁の各燃料出口に対応して各１個設け、該圧力溜まり部をそれぞれ前記サブコモンレールに接続する。
【００１７】
またかかる発明において、好ましくは、前記圧力溜まり部は、前記高圧ポンプの気筒毎の逆止弁の各燃料出口に対応して共通に１個設け、該共通の圧力溜まり部を前記サブコモンレールに接続する。
【発明の効果】
【００１８】
本発明によれば、コモンレール上流側圧力変動制御装置において、高圧ポンプの複数の気筒毎の逆止弁の燃料出口にそれぞれ接続され前記コモンレールの容積以下の容積を有するサブコモンレールと、該サブコモンレールの燃料出口と前記コモンレールとを接続する噴射管とを備え、前記噴射管の数を前記高圧ポンプの気筒毎の逆止弁の数よりも少なく構成したので、
複数の高圧ポンプの気筒数に対応して発生する吐出圧力の脈動による圧力波の振動と、高圧ポンプの気筒数と同数の逆止弁のサージ圧の圧力波の振動とが、前記高圧ポンプの逆止弁の燃料出口に接続され、コモンレールの容積以下の容積を有するサブコモンレールに伝達される。
【００１９】
そして、前記コモンレールの容積以下の容積を有するサブコモンレールとコモンレールとを接続する噴射管が、該噴射管の数を高圧ポンプの気筒毎の逆止弁の数よりも少なく構成しているので、前記サブコモンレール内において、高圧ポンプの逆止弁の燃料出口から逆止弁の数だけ伝達される前記圧力波の振動が、該サブコモンレールで、前記高圧ポンプの気筒毎の逆止弁の数よりも少なく面積の小さい噴射管を通して、コモンレールに伝達される。
従って、該サブコモンレール内では、前記入口側の気筒毎の逆止弁の数の圧力波の振動が、サブコモンレールの入口側に比べて出口側の絞りが小さいことによって、サブコモンレールから、容積の大きなコモンレールに面積の小さい噴射管から導入されることとなり、前記気筒毎の逆止弁の数の数によって導入される圧力波の振動が、サブコモンレールで吸収されて前記数量の少ない噴射管からコモンレールに送り込まれる。
【００２０】
これにより、複数の高圧ポンプの逆止弁の出口側に、コモンレールの容積以下の容積を有するサブコモンレールを設け、該サブコモンレールと前記コモンレールとを連結する噴射管の数を、前記高圧ポンプの気筒毎の逆止弁の数よりも少なくするという、きわめて簡単で且つ小型コンパクト化された装置でもって、高圧ポンプの吐出圧による脈動と逆止弁のサージ圧の発生を防止でき、安定した圧力状態でコモンレールに高圧燃料を供給可能となる。
【００２１】
尚、特許文献１のものは、コモンレール５の側部に、該コモンレール５からの噴射管とは別個に、開閉弁１１を介して第２のコモンレールとしてのサブコモンレール１０を連結しており、特許文献１のサブコモンレール１０は、コモンレール５の容積を増加する手段であり、かかる発明とは異なる。
【００２２】
また、本発明において、コモンレールを複数個備え、サブコモンレールをそれぞれのコモンレールに対して各１個設けて、サブコモンレールの燃料出口と複数個のコモンレールとを高圧ポンプの気筒毎の逆止弁の数よりも少なく構成した噴射管で接続すれば、
複数個のコモンレールに対してサブコモンレールをそれぞれ１個設けることにより、各サブコモンレールから容積の大きな複数個のコモンレールに面積の小さい噴射管により導入されることによって、前記気筒毎の逆止弁の数の数によって導入される圧力波の振動が、サブコモンレールで吸収されて前記複数個のコモンレールに送り込むことができる。
【００２３】
また本発明は、高圧ポンプの気筒毎の逆止弁の各燃料出口と前記サブコモンレールとの間に、高圧燃料油の脈動低減用の圧力溜まり部を設けるように構成すれば、
前記サブコモンレールの前記のような高圧ポンプの気筒毎の逆止弁側からの圧力波の振動防止作用に加えて、圧力溜まり部の容積による高圧燃料油の脈動低減作用を行うことによって、前記圧力波の振動防止作用と高圧燃料油の脈動低減作用を併せて行って、コモンレールに送り込むことができる。
【００２４】
またかかる発明において、圧力溜まり部は、高圧ポンプの気筒毎の逆止弁の各燃料出口
に対応して各１個設ける。このように構成すれば、サブコモンレールの前記のような高圧ポンプの気筒毎の逆止弁側からの圧力波の振動防止作用に加えて、圧力溜まり部の容積による高圧燃料油の脈動低減作用を併せて行ってコモンレールに送り込むことができる。
【００２５】
またかかる発明において、圧力溜まり部は、高圧ポンプの気筒毎の逆止弁の各燃料出口に対応して共通に１個設け、該共通の圧力溜まり部を前記サブコモンレールに接続すれば圧力溜まり部を、高圧ポンプ毎に一体化して一体型の圧力溜まり部を形成するので、該圧力溜まり部の容積を増大してポンプ脈動やサージ圧の減少を図ることができる。
【００２６】
上記した通り、本発明によるコモンレール上流側圧力変動抑制装置によれば、高圧燃料が流通する噴射管１３の設計自由度が大きいため、ディーゼルエンジンのコモンレール蓄圧燃料噴射装置への換装に適している。
【図面の簡単な説明】
【００２７】
【図１】本発明の実施例１にかかるコモンレール蓄圧式燃料噴射装置の主要部構成図である。
【図２】本発明の実施例１にかかる図１のサブコモンレールと逆止弁と高圧ポンプ上部の断面図である。
【図３】本発明の実施例２にかかるコモンレール蓄圧式燃料噴射装置の主要部構成図である。
【図４】本発明の実施例３にかかるコモンレール蓄圧式燃料噴射装置の主要部構成図である。
【図５】（Ａ）は従来技術の第１例、（Ｂ）は従来技術の第２例である。
【図６】従来技術の第３例である。
【図７】従来技術にかかる高圧ポンプ近傍及び逆止弁の断面図である。
【発明を実施するための形態】
【００２８】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【実施例１】
【００２９】
図１は本発明の実施例１にかかるコモンレール蓄圧式燃料噴射装置の主要部構成図である。図２は図１のサブコモンレール、逆止弁及び高圧ポンプ上部の断面図である。
図１において、かかるコモンレール蓄圧式燃料噴射装置においては、燃料タンク５に貯留された燃料油を、燃料フィルタ４で濾過し高圧ポンプ３に吸入する。該高圧ポンプ３の各気筒で圧縮された高圧燃料油は、後述する逆止弁１０、連結管１０ｓ及びサブコモンレール２を通って噴射管１３に入り、該噴射管１３からコモンレール１に入って該コモンレール１で蓄圧される。
【００３０】
該コモンレール１と各シリンダ７に装着されたインジェクタ６とが、シリンダ７毎に設けられた燃料噴射管１２で接続されており、各燃料噴射管１２には燃料制御弁８が設置されている。該燃料制御弁８は、制御装置１１によりエンジン運転条件によって定まるシリンダ毎の所定時期に該燃料制御弁８を開くように構成され、前記制御装置１１で開信号が伝達されると、当該シリンダの燃料制御弁８が開き、コモンレール１内の高圧燃料油を当該シリンダ７のインジェクタ６に供給する。
かかる制御装置１１による各シリンダ７の燃料制御弁８の開信号により、前記コモンレール１内の高圧燃料油をインジェクタ６により各シリンダ７内に噴射することができる。
【００３１】
図１及び図２において、高圧ポンプ３は、複数の気筒（この例では３気筒）により燃料油を、各気筒毎に、往復動自在に嵌合されたプランジャ３ａのタペット３ｃを介しての往復動により、前記吐出室３ｂ内の燃料油を高圧に圧縮する。該高圧ポンプ３のプランジャ３ａにより加圧された高圧燃料油は、吐出室３ｂから逆止弁１０の吸入ポート１０ｇに供給される。
前記高圧ポンプ３と逆止弁１０は、図２に示すように、逆止弁１０の逆止弁ケース１０ｆが複数のボルト１０ｄで前記高圧ポンプ３のケース３ｄに固定されて、高圧ポンプ３と逆止弁１０とが一体になっている。
【００３２】
前記逆止弁１０は、前記のように高圧ポンプ３の気筒数と同数設けられ、ばね室１０ｃ内に収納されたばね１０ｂ及び弁体１０ａにより設定された一定圧力以上になると、前記ばね１０ｂ及び弁体１０ａが開き、高圧燃料油の高圧油路１０ｓへの流通を許容するとともに、該高圧油路１０ｓから吐出室３ｂへの高圧燃料油の戻りを阻止するように構成されている。
前記により、ばね１０ｂ及び弁体１０ａが開くと、高圧燃料油が高圧油路１０ｓを通って、サブコモンレール２に導入される。
前記サブコモンレール２は、前記コモンレール１の容積以下の容積、好ましくはコモンレール１の容積の１／１０程度の一定容積を有しており、かかるサブコモンレール２の直下に配置された高圧ポンプ３の複数の気筒（この例では３気筒）から、逆止弁１０を通して圧送された高圧燃料油が導入される。
【００３３】
前記サブコモンレール２は、高圧ポンプ３の複数の気筒毎の逆止弁１０の燃料出口にそれぞれ接続され前記コモンレール１の容積以下の容積、好ましくは前記コモンレール１の１／１０程度の容積を有し、前記高圧ポンプ３から逆止弁１０を通して圧送された高圧燃料油が導入され、該高圧燃料油の圧力の振動と、逆止弁１０のばね１０ｂ及び弁体１０ａのサージ圧による振動とが、該サブコモンレール２に作用する。
一方、該サブコモンレール２の燃料出口と前記コモンレール１とを接続する噴射管１３は１個であり、即ち前記噴射管１３の数を前記高圧ポンプ３の気筒毎の逆止弁１０の数よりも少なく構成している。
【００３４】
かかる実施例１の構成によれば、燃料タンク５に貯留された燃料油を、燃料フィルタ４で濾過し３気筒（複数気筒ｂであればよい）の高圧ポンプ３に吸入する。該高圧ポンプ３の各気筒で圧縮された高圧燃料油は、逆止弁１０、３個の連結管１０ｓ及び１個のサブコモンレール２を通って噴射管１３に入り、該１本の噴射管１３からコモンレール１に入って該コモンレール１で蓄圧される。
【００３５】
従って、かかる実施例１によれば、高圧ポンプ３の複数の気筒（この例では３気筒）毎の逆止弁１０の燃料出口にそれぞれ接続され、前記コモンレール１の容積以下の容積を有するサブコモンレール２と、該サブコモンレール２の燃料出口と前記コモンレール１とを接続する噴射管１３とを備え、前記噴射管１３の数（この例では１本）を前記高圧ポンプ３の気筒毎の逆止弁１０の数（この例では３個）よりも少なく構成したので、
複数の高圧ポンプ３の気筒数に対応して発生する燃料の吐出圧力の脈動による圧力波の振動と、高圧ポンプ３の気筒数と同数の逆止弁１０のサージ圧の圧力波の振動とが、前記高圧ポンプ３の逆止弁１０の燃料出口に接続され、コモンレール１の容積以下の容積を有するサブコモンレール２に伝達される。
【００３６】
そして、図１のように、前記コモンレール１の容積以下の容積を有するサブコモンレール２とコモンレール１とを接続する噴射管１３が、該噴射管１３の数（この例では１本）を高圧ポンプ３の気筒毎の逆止弁１０の数（この例では３個）よりも少なく構成している。
従って、前記サブコモンレール２内において、高圧ポンプ３の逆止弁１０の燃料出口から逆止弁１０の数（この例では３個）だけ伝達される前記圧力波の振動が、該サブコモンレール２で、前記高圧ポンプ３の気筒毎の逆止弁の数（この例では３個）よりも少なく面積の小さい噴射管１３（この例では１本）を通して、コモンレール１に伝達される。
【００３７】
これにより、該サブコモンレール２内では、前記入口側の気筒毎の逆止弁の数（この例では３個）の圧力波の振動が、サブコモンレール２の入口側に比べて出口側の絞りが小さいことによって、サブコモンレール２から、容積の大きなコモンレール１に面積の小さい噴射管１３から導入されることとなる。
従って、前記気筒毎の逆止弁１０の数（この例では３個）によって導入される圧力波の振動が、サブコモンレール２で吸収されて前記数量の少ない噴射管１３から（この例では１本）コモンレール１に送り込まれることとなる。
【００３８】
これにより、複数の高圧ポンプ３の逆止弁１０の出口側に、コモンレール１の容積以下の容積を有するサブコモンレール２を設け、該サブコモンレール２と前記コモンレール１とを連結する噴射管１３の数（この例では１本）を、前記高圧ポンプ３の気筒毎の逆止弁１０の数（この例では３個）よりも少なくするという、きわめて簡単で且つ小型コンパクト化された装置でもって、高圧ポンプ３の吐出圧による脈動と逆止弁１０のサージ圧の発生を防止でき、安定した圧力状態でコモンレール１に高圧燃料を供給可能となる。
【００３９】
また、かかる実施例１において、コモンレール１を複数個（例えば２個）備え、サブコモンレール２をそれぞれのコモンレール１に対して各１個設けて、サブコモンレール２の燃料出口と複数個のコモンレール１とを、高圧ポンプ３の気筒毎の逆止弁１０の数よりも少なく構成した噴射管１３で接続することもできる。
【００４０】
このようにすれば、複数個のコモンレール１に対してサブコモンレール２をそれぞれ１個設けることにより、各サブコモンレール２から容積の大きな複数個のコモンレール１に面積の小さい噴射管１３（例えば１本）により導入されることによって、前記気筒毎の逆止弁１０の数（例えば３個）によって導入される圧力波の振動が、サブコモンレール２で吸収されて前記複数個のコモンレール１に送り込むことができる。  
【実施例２】
【００４１】
図３は本発明の実施例２にかかるコモンレール蓄圧式燃料噴射装置の主要部構成図である。この実施例２においては、実施例１と同様に図２のサブコモンレール、逆止弁を用いる。
この実施例２においては、図３のように、高圧ポンプ３の気筒毎（この例では３気筒）の逆止弁１０の各燃料出口と前記サブコモンレール２との間に、高圧燃料油の脈動低減用の圧力溜まり部１６を３個（前記逆止弁１０の数と同一であればよい）設けている。
その他の構成は、実施例１（図１〜２）と同様であり、これと同一の部材は同一の符号で示す。
【００４２】
このように構成すれば、前記サブコモンレール２の、前記のような高圧ポンプ３の気筒毎の逆止弁１０側からの圧力波の振動防止作用に加えて、圧力溜まり部１６の容積による高圧燃料油の脈動低減作用を併せて行って、コモンレール１に送り込むことができる。
また、このように構成すれば、同じ圧力溜まり部１６を３個セットにして、前記高圧ポンプ３の気筒毎の逆止弁１０と一体化できる。
【実施例３】
【００４３】
図４は本発明の実施例３にかかるコモンレール蓄圧式燃料噴射装置の主要部構成図である。この実施例３においては、実施例１と同様な図２のサブコモンレール、逆止弁を用いる。
かかる実施例３において、圧力溜まり部１６ａは、高圧ポンプ３の気筒毎の逆止弁１０の各燃料出口に対応して共通に１個設け、該共通の圧力溜まり部１６ａを前記サブコモンレール２に接続することができる。
このようにすれば、前記圧力溜まり部１６を、高圧ポンプ３毎に一体化して一体型の圧力溜まり部１６ａを形成するので、該圧力溜まり部１６ａの容積を増大してポンプ脈動やサージ圧の減少を図れる。
【産業上の利用可能性】
【００４４】
本発明によれば、コモンレール蓄圧式燃料噴射装置において、きわめて簡単且つ小型コンパクト化された装置でもって、高圧ポンプの気筒毎のポンプ脈動の発生を防止するとともに、逆止弁の作動圧力の変動によるサージ圧の発生を防止し、安定した圧力状態でコモンレールに高圧燃料を供給可能なコモンレール上流側圧力変動制御装置を提供できる。
【符号の説明】
【００４５】
１  コモンレール
２  サブコモンレール
３  高圧ポンプ
３ａ  プランジャ
３ｂ  吐出室
４  燃料フィルタ
５  燃料タンク
６  インジェクタ  
７  シリンダ
８  燃料制御弁
１０  逆止弁
１０ａ  弁体
１０ｂ  ばね
１０ｓ  高圧油路
１１  制御装置  
１３  噴射管
１６  圧力溜まり部
１６ａ  圧力溜まり部
【図１】
2010169068.tif 000003
【図２】
2010169068.tif 000004
【図３】
2010169068.tif 000005
【図４】
2010169068.tif 000006
【図５】
2010169068.tif 000007
【図６】
2010169068.tif 000008
【図７】
2010169068.tif 000009